(57)【要約】【課題】本発明は、歩行用杖、ステッキ、あるいは傘に無線回路を内臓あるいは携帯させて持ち主に置き忘れを知らしめることを特徴とする置忘れ防止機能付き歩行用杖、ステッキ、あるいは傘を提供するものである。【解決手段】そのために、本発明では歩行用杖、ステッキあるいは傘に無線回路を内臓させて親機として無線を発信させ、子機を受信機として、持ち主に携帯させるように小型化した。さらに、電源のＯＮ／ＯＦＦを周期的に切り換えるインターバル回路によって、信号の発信を間歇化し、省電力化を図るとともに、親機と子機との間で、見通し外無線通信による定期的な信号のやり取りを利用し、信号のやり取りが途絶えたらアラームが所持者に伝えられる構造とした。【選択図】図４
2007209728.tif 000002
【特許請求の範囲】
【請求項１】
歩行用杖、ステッキ、あるいは傘に無線回路を内臓あるいは携帯させて親機として無線を発信させ、子機を受信機として歩行用杖、ステッキあるいは傘の持ち主に携帯させるように小型化し、歩行用杖、ステッキ、あるいは傘を忘れた際に子機が親機からの信号が途絶えたことを検知して、持ち主に置き忘れを知らしめることを特徴とする置忘れ防止機能付き歩行用杖、ステッキ、あるいは傘。
【請求項２】
前記請求項１の歩行用杖、ステッキ、あるいは傘において、内臓する親機の無線回路を間歇的に駆動して発信させ、子機との通信を低消費電力の間歇無線通信とすることを特徴とする置忘れ防止機能付き歩行用杖、ステッキ、あるいは傘。
【請求項３】
前記請求項１の歩行用杖、ステッキ、あるいは傘において、親機と子機の距離が離れ通信が途切れた際に、携帯している子機が振動したり警報音を発生したりして持ち主に置き忘れを知らしめることを特徴とする置忘れ防止機能付き歩行用杖、ステッキ、あるいは傘。
【請求項４】
前記請求項２の歩行用杖、ステッキ、あるいは傘において、内臓する親機の無線回路を間歇的に駆動して発信させる方式において、タイマＩＣを使ったインターバル回路を電源と親機の無線通信用回路の間に挿入することによって、電源のＯＮ／ＯＦＦを周期的に行ない、親機の発振回路を一定周期で間歇的に駆動することを特徴とする置忘れ防止機能付き歩行用杖、ステッキ、あるいは傘。
【請求項５】
前記請求項１の歩行用杖、ステッキ、あるいは傘において、受信側子機にはカウントダウン・タイマーを組み込み、その周期信号を受信するたびにリセットされるようにし、発信側親機が離れると、信号を受信できないためにカウントが０になり、該０化によって受信側子機に発信している歩行用杖、ステッキ、あるいは傘が離れたことを知らせることを特徴とする置忘れ防止機能付き歩行用杖、ステッキ、あるいは傘。
【請求項６】
前記請求項１の歩行用杖、ステッキ、あるいは傘において、発信側親機の無線電力を調整することにより、近距離見通し無線通信と比較的遠距離の見通し外無線通信の２段階切り替え無線通信を可能とすることを特徴とする置忘れ防止機能付き歩行用杖、ステッキ、あるいは傘。
【請求項７】
前記請求項６の歩行用杖、ステッキ、あるいは傘において、発信側親機の無線電力を調整することにより、近距離見通し無線通信と比較的遠距離の見通し外無線通信の２段階切り替え無線通信を可能とする際に、１から２ｍの範囲での近距離見通し無線通信設定では、電車等での緊急の置き忘れ防止を、数十ｍの見通し外無線通信の設定では役所等の窓口での用足し時において、玄関の傘立て等に立てかけて用足しや家庭訪問時の玄関の傘たてに置いて訪問先での比較的緊急性の低い置き忘れ防止に適用できるようにしたことを特徴とする置忘れ防止機能付き歩行用杖、ステッキ、あるいは傘。
【発明の詳細な説明】
【技術分野】
【０００１】  本発明は、高齢者や体の不自由な方の移動制約者をはじめ、歩行者が安心して利用できる安全で快適な置き忘れ防止歩行用杖・ステッキ・傘に関するものである。
【背景技術】
【０００２】  日本の高齢化は世界最高のスピードで進行している。平成１２年１１月に交通バリアフリー法が施行され、バリアフリー社会の構築は重要の課題となっており、高齢者・身体障害者の方をはじめとする移動制約者からは、段差の解消などハード面の対策に加え、情報提供などのソフト面からの支援を強く求められている。本特許の発明者らは高齢化社会に向けて、高齢者の運動促進及び、歩行者、登山者の夜間等における安全の向上のためのＩＴステッキを開発している。
【非特許文献１】小林、三田地「高齢者快適ネットワーク空間創成技術開発」第５回システムインテグレーション部門学術講演会（ＳＩ２００４）３Ｋ１−２ＰＰ，１１６２−６３（２００４．１２）つくば国際会議場。
【発明の開示】
【発明が解決しようとする課題】
【０００４】    高齢者は往々にして物忘れが激しく、特に歩行用杖、ステッキあるいは傘が置き忘れの対象となり、これらに置き忘れ防止機能が付与されれば、高齢者は安心して積極的に散歩などに出かけられるようになり、高齢者の運動が促進され、快適な高齢者生活を送れることとなる。
【課題を解決するための手段】
【０００５】  これら歩行用杖、ステッキあるいは傘に通信機能を付与するために、インターバル回路を利用した間歇通信を付加するものである。すなわち、電源のＯＮ／ＯＦＦを周期的に切り換えるインターバル回路によって、信号の発信を間歇化し、省電力化を図るとともに、親機と子機との間で、見通し外無線通信による定期的な信号のやり取りを利用し、信号のやり取りが途絶えたらアラームが所持者に伝えられる置忘れ防止機能をＩＴステッキ（歩行用杖、ステッキ）あるいは傘に持たせた。
【発明を実施するための裁量形態】
【０００６】
【０００７】  以下、本発明を実施例に基づいて詳細に説明する。
【実施例１】
【０００８】    図１に示すようなＩＴステッキに付加する通信機能として、インターバル回路を利用した間歇通信を検討した。電源のＯＮ／ＯＦＦを周期的に切り換えるインターバル回路によって、信号の発信を間歇化し、省電力化を図るとともに、応用として、定期的な信号のやり取りを利用した、置忘れ防止機能を持たせたＩＴステッキの試作を行なった。【０００９】  発明した間歇通信実現の原理は以下のとおりである。インターバル回路としては、図２に示すような回路構成により、タイマＩＣ５５５を使った発振回路で、電源のＯＮ／ＯＦＦを周期的に行なった。ＬＥＤの点滅回路として一般的に用いられている回路であり、ＯＮ／ＯＦＦの時間比率を半固定抵抗によって簡単に調節できるようにした。【００１０】  無線通信用回路としては（有）五用設計が販売している図３に示す無線呼出し器「ブルッタ君：型式ＢＴ−１００  経済産業省認定番号  Ｒ−００４Ｙ  ＶＡ００２７」の無線回路部分を使用した。この無線通信用回路は発信機と受信機の２つで１組になっており、発信機が機体固有の周波数信号を発信することで、その対応機が信号受信を振動でユーザーに知らせるものである。この実施例では４２９．２ＭＨｚの認可された周波数を用いた。【００１１】  置忘れ防止機能は図４に示すように、電源と無線通信用回路の間にインターバル回路を組み入れることによって、周期的に信号が発信される。図５には実際のインターバル回路と発信回路をＩＴステッキに内臓する前に結線して動作確認を行った様子を示している。受信側にはカウントダウン・タイマーを組み込み、その周期信号を受信するたびにリセットされるようにした。発信側が離れると、信号を受信できないためにカウントが０になる。この０化によって、受信側に発信している杖が離れたことを知らせることが実現できた。【００１２】  このように、図４、図５の構成でインターバル回路と無線通信用回路を実際に接続し、正常に通信を行なうことができるかを確認した。周期的な電源のＯＮ／ＯＦＦと無線通信回路起動時のＬＥＤ点灯が連動し、信号のやり取りを対応機で確認した。無線通信用回路の起動から発信までのタイムラグ等を考慮し、インターバル回路はＯＮ時間４秒、ＯＦＦ時間８秒に調整した。【００１３】  上記の回路接続構成の結果、入力電源３［ｖ］で無線通信用回路の周期的な起動が確認された。図６にインターバル回路による電源の間歇的供給の様子、図７は間歇的電源供給と発信機側の起動、受信による応答の様子を示す。３分間の測定を行い、１６回の起動を確認した。起動しても発信に至らないことが１回だけあったが、」この原因としては発信時に必要な電流が不十分であることが可能性として最も高いと考えており、安定した電流の供給ができるように回路の改善を行ない、その後２４時間の通信で特に問題の発生は起こらないことを確認した。このように、置忘れ防止機能付きＩＴステッキ用インターバル回路を試作し、間歇無線通信の機能確認に成功した。
【実施例２】
【００１４】  実施例１で実現、確認されたインターバル回路による無線親機への周期的電源ｏｎ−ｏｆｆによる間歇電源供給による間歇無線通信機能は歩行障害のある高齢者向け歩行杖以外にも、よりおしゃれな高価なステッキへ適用した場合や、高価な傘の柄に埋め込んだりして用いると、置忘れ防止機能はより社会的ニーズに即応した効果を発揮することが確認された。即ち、置忘れが生じる場合は、おしゃれな持ち物や天候の変化等の状況変化によって必ずしも携帯していなくても良い場合により効果を発揮する場合が多く、健常者がおしゃれにステッキを持って外出先で用事を足す場合にちょっと体から離して近くに立てかけ、書類等の記入や相手とのやりとりに夢中のになって忘れてしまうケースや、高価な傘を携帯して電車に載り、網棚や手すりにかけて目的地に向かっている間に雨が止んでしまってそのまま降車した場合などに大いに本発明の置き忘れ防止間歇無線通信は効果を発揮することが確認された。
【実施例３】  前記請求項６の歩行用杖、ステッキ、あるいは傘において、間歇無線通信の発信側親機の無線電力を供給電源のパワーを調整することにより、近距離見通し無線通信と比較的遠距離の見通し外無線通信の２段階切り替え無線通信を可能とする機能を付加した。その結果、１から２ｍの範囲での近距離見通し無線通信設定では、所持者が置き忘れた直後に置き忘れ防止アラーム（子機を胸ポケットに入れておくと振動し置き忘れを想起させる方式）により、比較的緊急性の高い電車やタクシー等での置き忘れ防止に有効であることが実証された。別の切り替え状況での数十ｍの見通し外無線通信の設定では、所持者が意識的に役所等の窓口での用足し時において、玄関の傘立て等に立てかけて用足しや家庭訪問時の玄関の傘たてに置いて訪問先での用足しに出向いた場合、建物内で用事を足している間はアラームが発することもなく、建物から数十ｍ離れた際に置忘れを想起するアラーム（子機をポケット等に入れておくと警報がなる方式）により、比較的緊急性の低い置き忘れ防止に有効であることが実証された。
【図面の簡単な説明】
【００１５】
【図１】置忘れ防止機能付きＩＴステッキおよび置忘れ防止機能回路格納部分の拡大図
【図２】間歇電源供給用インターバル回路
【図３】置忘れ防止機能付きＩＴステッキに内蔵した無線通信回路および該無線通信回路が内臓されている市販の無線呼出し器「ぶるった君」
【図４】間歇通信のイメージ図
【図５】電池電源−インターバル回路−無線通信発信親器接続図
【図６】電池電源−インターバル回路−無線通信発信用親器接続による間歇通信動作用間歇電源供給結果
【図７】電池電源−インターバル回路−無線通信発信用親器と受信用子機間の間歇無線通信動作確認結果
【符号の説明】
【００１６】１００  試作した置忘れ防止機能付きＩＴステッキ全体図
１０１  試作した置忘れ防止機能回路格納部分の拡大図
１０２  間歇電源供給用インターバル回路図
１０３  試作した間歇電源供給用インターバル回路
１０４  タイマＩＣ５５５
１０５  置忘れ防止機能付きＩＴステッキから発信された無線信号を受信するための受信機用子機（ブルッタ君：型式ＢＴ−１００  経済産業省認定番号  Ｒ−００４ＹＶＡ００２７）
１０６  間歇通信発信機用親機の置忘れ防止機能付きＩＴステッキに内臓模様
１０７  電池電源−インターバル回路−無線通信発信親器接続イメージ図
１０８  電池電源−インターバル回路−無線通信発信親器接続動作実験模様
１０９  電池電源
１１０  間歇発生出力電圧
１１１  間歇無線通信動作における親機間歇発信信号
１１２  間歇無線通信動作における子機間歇受信信号
【図１】
2007209728.tif 000003
【図２】
2007209728.tif 000004
【図３】
2007209728.tif 000005
【図４】
2007209728.tif 000006
【図５】
2007209728.tif 000007
【図６】
2007209728.tif 000008
【図７】
2007209728.tif 000009